(57)【要約】【課題】灯具本体の支持体が給電線を兼ね、かつ灯具が支持体に回転自在で照射方向を可変とされた照明装置において、簡単な構造で電気導通を確保しつつ構成のコンパクト化、組立ての容易化を図る。【解決手段】基板２４上に実装された光源２５を持つ灯具本体２と、この灯具本体２が回転自在に支持されるアーム状の支持体１とを備え、支持体１は、線材又は板金から成ると共に電源から光源２５への給電線と成り、この支持体１の両先端部１ａが灯具本体２の両サイドを回転自在に支持する回転軸部とされ、この回転軸部と基板２４上の給電パターンとの間を金属板バネ１２により接触させた。【選択図】図２
2005071821.tif 000002
【特許請求の範囲】
【請求項１】
基板上に実装された光源を持つ灯具本体と、この灯具本体が回転自在に支持されるアーム状の支持体とを備えた照明器具において、
前記支持体は、少なくとも一対の導体から形成されていて電源から光源への給電線と成り、この支持体の両先端部に前記灯具本体の両サイドを回転自在に支持する回転軸部が設けられ、
前記支持体の回転軸部と前記基板上の給電パターンとの間を導電性弾性部材により接触させたことを特徴とする照明器具。
【請求項２】
前記支持体の回転軸部は、その最外周回転円より回転中心側に入って形成された停止面を複数備え、この回転軸部に前記灯具本体側の弾性材から成る軸受けが嵌合されることにより前記複数の停止面毎に回転停止させ得るようにしたことを特徴とする請求項１に記載の照明器具。
【請求項３】
前記導電性弾性部材を、前記支持体の回転軸部に嵌合させたことを特徴とする請求項１又は請求項２に記載の照明器具。
【発明の詳細な説明】
【技術分野】
【０００１】
本発明は、基板上に実装された光源を持つ灯具本体が回転自在に設けられる照明器具に関するものである。
【背景技術】
【０００２】
従来から、ＬＥＤを光源とした灯具を備えた照明器具において、灯具を支持体に対して回転自在としてスポットライトの様に照射方向を任意に可変としたものが知られている。この種の器具は、光源が実装されている基板のパターンに電源から電線が結線され、この電気結線には、基板にコネクタやピンを設けて、それに電線側のコネクタを結合させる。そして、その電線を支持体アーム内に通したり、支持体となる線材やワイヤに沿わせて配置するようにしている。
【０００３】
また、灯具が張り渡した電線から吊り下げられる低電圧器具において、灯具を支持するアーム体を線材とし、この線材自体を給電用の導体としたものが知られている（特許文献１参照）。
【特許文献１】実開平２−５８１５号公報
【発明の開示】
【発明が解決しようとする課題】
【０００４】
上記従来の器具のように電気結線にコネクタやピンを用いるものでは、部品点数が増えるばかりか組立てが容易ではなく、小型化が容易でない。また、上記公報に示されるものでは、電気導通を確保しつつ、灯具による照射方向を可変にするには、複雑な構造が必要となり、組立てが容易でないといった問題がある。
【０００５】
本発明は、上記課題を解決するものであり、灯具本体の支持体が給電線を兼ね、かつ灯具が支持体に回転自在で照射方向を可変とされたものにあって、簡単な構造で電気導通を確保しつつ構成のコンパクト化、組立ての容易化を図った照明装置を提供することを目的とする。
【課題を解決するための手段】
【０００６】
請求項１の発明は、基板上に実装された光源を持つ灯具本体と、この灯具本体が回転自在に支持されるアーム状の支持体とを備えた照明器具において、前記支持体は、少なくとも一対の導体から形成されていて電源から光源への給電線と成り、この支持体の両先端部に前記灯具本体の両サイドを回転自在に支持する回転軸部が設けられ、前記支持体の回転軸部と前記基板上の給電パターンとの間を導電性弾性部材により接触させたことを特徴とする。
【０００７】
請求項２の発明は、請求項１に記載の照明器具において、前記支持体の回転軸部は、その最外周回転円より回転中心側に入って形成された停止面を複数備え、この回転軸部に前記灯具本体側の弾性材から成る軸受けが嵌合されることにより前記複数の停止面毎に回転停止させ得るようにしたことを特徴とする。
【０００８】
請求項３の発明は、請求項１又は請求項２に記載の照明器具において、前記導電性弾性部材を、前記支持体の回転軸部に嵌合させたことを特徴とする。
【発明の効果】
【０００９】
請求項１の発明によれば、基板上に実装された光源を持つ灯具本体が支持体に回転自在で照射方向可変な照明器具にあって、給電線を兼ねた導体から構成された支持体が灯具本体の回転軸部となり、その回転軸部と基板給電パターンとを導電性弾性部材の接触により電気導通を確保したので、電気配線を通すためのスペースが不要となり、基板にコネクタやピンを設ける必要がなく、省スペース、かつコンパクトな構成となり、省資源となる。しかも、回転軸部の機械的組立てだけで電気結線も同時に行えるので、電気結線のための半田付けが不要となり、組立てが容易であり、環境に優しいものとなる。
【００１０】
請求項２の発明によれば、灯具本体を回転自在にすると共に、特別な部品を必要とすることなく所定角度毎に灯具本体を回転停止させることができる。
【００１１】
請求項３の発明によれば、導電性弾性部材を介して支持体と給電パターンとの電気導通のための接触圧を容易に確保することができる。
【発明を実施するための最良の形態】
【００１２】
以下、本発明に係る灯具本体の支持体が給電線を兼ねて照射方向を可変な照明器具の実施形態について図面を参照して説明する。図１、図２は、第１の実施形態による照明器具の灯具本体を示し、図３は同照明器具全体の外観を示している。この照明器具は、低電圧電源から光源への給電線を兼ねるアーム状の支持体１，１の先端部１ａに灯具本体２が仰角方向に回転自在に支持されたものである。支持体１は、基礎フランジ１５，１６から立設された対向する２本の導電性の板金（線材でもよい）から成り、それらの上端側が灯具本体２の外周面形状に合わせて１／４円弧状に曲げられ、その両先端部１ａ，１ａ間に灯具本体２の左右両サイドを回転軸部により回転自在に支持している。
【００１３】
灯具本体２は、樹脂成形された円形外周面形状の本体枠２１と、その前面に結合される前枠２２と、本体枠２１内に絶縁伝熱シート２３を介して取り付けられる基板２４と、この基板２４上に実装されたＬＥＤ等の光源２５と、光源２５の前に配置されるレンズ２７と、レンズ２７を保持するレンズ受け２６等から構成される。本体枠２１の背面には放熱用の凹凸形状が形成されている。
【００１４】
この灯具本体２は、その左右両サイドにおいて支持体１の先端部１ａに電気導通状態で取り付けた回転軸部を構成する導電線材で成る軸１１に、絶縁材で成る軸受け２８を介して回転自在に支持され、それにより照射方向Ａ（図１）を仰角方向に任意に変更可能としている。軸受け２８は、本体枠２１と前枠２２との間に挟み込まれる。軸１１には、金属板バネ１２（導電性弾性部材）を嵌め込み、軸１１と基板２４上の給電パターンとの間をこの金属板バネ１２により電気導通状態としている。ここに、金属板バネ１２は、軸１１と給電パターンに適当な接触圧でもって接触し、灯具本体２が回転軸部回りに回転されたとき、軸１１と摺動することになる。
【００１５】
次に、図４、図５及び図６を追加して上記回転軸部の構成を詳細に説明する。導電性の軸１１は、その頭部１１ａを外側にして支持体１の先端部１ａの孔に嵌合されることで導通状態で取り付けられる。軸１１の中間位置に設けられた抜け止め用凹溝１１ｂよりも先端側を残して、支持体１と軸１１の表面はコーティング（図１、図２、図３に破線で示す）して外表面を絶縁しておく。金属板バネ１２は、図６（ａ）に示すように、折り曲げられた略三辺から成り、切り起こし片１２ｂ相当を打ち抜いて形成された窓部１２ａに軸１１の先端側を矢印Ｂ方向に嵌合させる。又は、図６（ｂ）に示すように、同様に形成した金属板バネ１２の側方から軸１１の先端側を矢印Ｂ方向に嵌合させる。
【００１６】
さらに、軸１１の外周に、図５に示すように、絶縁材により２つ割り状に形成された片２８ａ，２８ｂから成る軸受け２８を嵌め込む。ここに、軸受け２８の内側凸部２８ｃ，２８ｄが軸１１の抜け止め用凹溝１１ｂに嵌まり込むことで、軸受け２８の抜け止めが成される。ここまで組み立てた状態の軸受け２８に対して、灯具本体２の本体枠２１（基板２４は内部に取り付けた状態であるが、前枠２２は未だ結合していない状態）を所定の合わせ位置に装着する。これにより、金属板バネ１２の下辺が、基板２４上の給電パターン上に押し当てられ、電気導通される。その後に、本体枠２１に前枠２２を結合させることで、軸受け２８の抜け止めも成される。
【００１７】
このようにして支持体１と灯具本体２との回転軸部が組み立てられ、灯具本体２は軸１１及び軸受け２８の軸心Ｃ（図２）の回りに回転自在となる。灯具本体２が回転されたとき、軸受け２８及び金属板バネ１２は灯具本体２と一体に回転し、軸１１とは摺動する。なお、回転軸部は、支持体１の先端部１ａを折り曲げて、それを軸１１に相当する部材としたものであっても構わない。
【００１８】
次に、光源２５への給電回路構成について説明する。給電回路は、一対の支持体１、軸１１、金属板バネ１２を経由して基板２４上の給電パターンに至っている。そして、図３に示した基礎フランジ１６に図示しない口出し線又は端子が設けられ、これが一対の支持体１，１にそれぞれ電気導通されている。この口出し線又は端子に、直流電源装置又は降圧トランスの出力を接続することで、光源２５へ給電することができる。なお、通常は、基礎フランジ１６が載置面ＧＬに固定される。また、基礎フランジ１５が基礎フランジ１６に対して回転自在となるための回転機構を内蔵していてもよい。
【００１９】
以上のように、本実施形態によれば、給電線を兼ねた線材（又は板金）から構成された支持体１に設けた軸１１又は支持体１自体が、灯具本体２の回転軸部となり、その回転軸部と基板２４の給電パターンとを金属板バネ１２の摺動接触により電気導通を確保している。このため、電気配線を通すためのスペースが不要であり、基板２４にコネクタやピンを設ける必要がなく、省スペース、かつコンパクトとなり、省資源となる。さらには、回転軸部の組立てだけで、電気結線も同時に行えるので、電気結線のための半田付けが不要となり、組立てが容易で、環境に優しいといった効果も得られる。
【００２０】
図７は、第２の実施形態による照明器具の灯具本体を示す。本実施形態は、灯具本体２の回転軸部の導電構成が上述とは異なる。上述第１の実施形態では、回転軸部に金属板バネ１２を用いたが、この第２実施形態では、線材から成る支持体１の先端部１ａ自体を横方向に折り曲げ、これを軸とし、それと基板２４の給電パターンとの間に導電性ゴム３１（導電性弾性部材）を挟み込み、軸受け代わりの絶縁取付部材３０により軸を押し付ける。これにより、支持体１と給電パターンとの電気導通のための接触圧を確保したものである。
【００２１】
図８は、第３の実施形態による照明器具の灯具本体を示す。本実施形態は、上記第２実施形態における導電性ゴム３１に代えて、導電性バネ３２を用いたものである。このバネ力や形状を適宜に設定することで、灯具本体２を回転させるときの操作力及び保持力を任意に調整することができる。
【００２２】
図９は、第４の実施形態による照明器具の灯具本体を示す。上記第２実施形態においては導電性ゴム３１を軸と給電パターンとの間に挟み込んだ形態であったのに対して、この第４実施形態では、導電性ゴム３３が筒状であり、これが軸受けとなり、線材から成る支持体１の先端部１ａの軸に嵌合させている。これにより、支持体１と給電パターンとの電気導通のための接触圧を確実に確保できるようにした。
【００２３】
図１０（ａ）（ｂ）は、第５の実施形態による照明器具の支持体１の先端部１ａに設けた軸の構成、又は線材の先端部１ａ自体を軸とした場合の軸の構成を示す。（ａ）は、軸１１を断面多角形とした例であり、（ｂ）は軸１１の外周面軸方向にスリット１１ｓを形成した例である。このような軸１１に、灯具本体側の弾性材から成る軸受けが嵌合されることにより、所定角度毎に段階的に仮保持できる。この場合、仮保持を確保するために、軸１１と、軸１１を受ける軸受け又はそれ相当の例えば導電性ゴム３３との間に板金を挿入することが望ましい。このような構成により、灯具本体を回転自在にすると共に特別な部品を用いることなく所定角度毎に回転停止させることができる。さらには、この実施形態に限られず、支持体の回転軸部は、その最外周回転円より回転中心側に入って形成された停止面を複数備えたものであればよく、その場合には、その複数の停止面毎に回転停止させることができる。
【００２４】
本発明は、上記実施例の構成に限られることなく、発明の趣旨を変更しない範囲で種々の変形が可能である。例えば、光源はＬＥＤに限られず、低圧で駆動可能な光源であれば適用できる。また、基板自体に軸受け相当の構成を持った形態でも構わない。
【図面の簡単な説明】
【００２５】
【図１】本発明の第１の実施形態による照明器具の灯具本体を示す半裁側断面図。
【図２】同灯具本体の半裁横断面図。
【図３】同照明器具全体の背面外観図。
【図４】同灯具本体を支持する支持体先端部の斜視図。
【図５】同照明器具を支持する軸受けの展開斜視図。
【図６】（ａ）（ｂ）は同照明器具の回転軸部に設けられる金属板バネの斜視図。
【図７】本発明の第２の実施形態による照明器具の灯具本体の側断面図。
【図８】本発明の第３の実施形態による照明器具の灯具本体の側断面図。
【図９】本発明の第４の実施形態による照明器具の灯具本体の側断面図。
【図１０】（ａ）（ｂ）は他の実施形態による灯具本体を支持する軸の斜視図。
【符号の説明】
【００２６】
１  支持体
１ａ  先端部
１１  軸
１２  金属板バネ（導電性弾性部材）
２  灯具本体
２１  本体枠
２４  基板
２５  ＬＥＤ等の光源
２８  軸受け
３１  導電性ゴム
３２  導電性バネ
３３  導電性ゴム
【図１】
2005071821.tif 000003
【図２】
2005071821.tif 000004
【図３】
2005071821.tif 000005
【図４】
2005071821.tif 000006
【図５】
2005071821.tif 000007
【図６】
2005071821.tif 000008
【図７】
2005071821.tif 000009
【図８】
2005071821.tif 000010
【図９】
2005071821.tif 000011
【図１０】
2005071821.tif 000012